(57)【要約】【課題】  雨水が家屋の屋根裏空間に侵入するのを確実に防止することができる換気装置を提供する。【解決手段】  家屋２の軒先部４に取り付けられる換気装置本体２２と、換気装置本体２２の屋外側に設けられ、外気を換気装置本体２２の内部に吸気するための吸気用開口部２６と、換気装置本体２２の家屋側に設けられ、換気装置本体２２の内部と家屋２の屋根裏空間１４とを連通するための通気用開口部３２と、通気用開口部３２を閉塞するための閉塞部材５２と、を備える。吸気用開口部２６は横方向に開口され、閉塞部材５２は、通気用開口部３２を閉塞する閉塞位置と、通気用開口部３２を開放する開放位置との間を揺動自在に構成され、通気用開口部３２には屋外側に向かって斜め下方に延びる第１の水返し部３４が設けられている。【選択図】  図３
2008304140.tif 000002
【特許請求の範囲】
【請求項１】
外気を家屋の屋根裏空間に導入して換気するための換気装置であって、
前記家屋の軒先部又は相互に隣接する一対の垂木間に取り付けられる換気装置本体と、前記換気装置本体の屋外側に設けられ、外気を前記換気装置本体の内部に吸気するための吸気用開口部と、前記換気装置本体の家屋側に設けられ、前記換気装置本体の内部と前記家屋の前記屋根裏空間とを連通するための通気用開口部と、前記通気用開口部を閉塞するための閉塞部材と、を備え、
前記吸気用開口部は横方向に開口され、前記閉塞部材は、前記通気用開口部を閉塞する閉塞位置と、前記通気用開口部を開放する開放位置との間を揺動自在に構成され、前記通気用開口部には屋外側に向かって斜め下方に延びる第１の水返し部が設けられており、
弱風時には、前記閉塞部材は前記開放位置に位置付けられ、前記吸気用開口部を通して前記換気装置本体の内部に吸気された外気は、前記通気用開口部を通して前記家屋の前記屋根裏空間に導入され、また強風時には、前記吸気用開口部を通して前記換気装置本体の内部に吸気された外気によって前記閉塞部材が前記開放位置から前記閉塞位置に位置付けられることを特徴とする換気装置。
【請求項２】
前記第１の水返し部は、鉛直方向に対して４５〜６０度の角度で屋外側に向かって斜め下方に延びていることを特徴とする請求項１に記載の換気装置。
【請求項３】
前記閉塞部材の下端部にはシール部材が設けられており、前記閉塞部材が前記閉塞位置に位置付けられると、前記シール部材は前記第１の水返し部の下方において前記換気装置本体の家屋側にシールされることを特徴とする請求項１又は２に記載の換気装置。
【請求項４】
前記閉塞部材の下端部には、所定方向に折り返された折返し部が設けられ、前記折返し部には前記シール部材が取り付けられていることを特徴とする請求項３に記載の換気装置。
【請求項５】
前記換気装置本体の屋外側の下端部には、前記換気装置本体の屋外側を流れ落ちる水が前記家屋の外壁面に到達するのを防止するための第１の水切り部が設けられていることを特徴とする請求項１〜４のいずれかに記載の換気装置。
【請求項６】
前記第１の水切り部には排水用開口部が設けられており、前記換気装置本体の内部に溜まった雨水は、前記排水用開口部を通して外部に排出されることを特徴とする請求項５に記載の換気装置。
【請求項７】
前記換気装置本体は、前記家屋の屋根の野地板に装着される装着部を更に備え、前記装着部の上側端部には、屋外側に向かって上側に折り返された第２の水返し部が設けられていることを特徴とする請求項１〜６のいずれかに記載の換気装置。
【請求項８】
前記装着部の下側端部には、前記家屋の前記屋根を流れ落ちる水が前記換気装置本体の屋外側に到達するのを防止するための第２の水切り部が設けられていることを特徴とする請求項７に記載の換気装置。
【請求項９】
前記吸気用開口部は複数設けられ、前記複数の吸気用開口部の各々には、打ち抜き加工により形成された雨水遮断部が設けられており、前記雨水遮断部は、前記換気装置本体の内部に向けて略コの字状に折り曲げられていることを特徴とする請求項１〜８のいずれかに記載の換気装置。
【請求項１０】
前記雨水遮断部は、前記換気装置本体の内部に向けて１．０〜４．０ｍｍ突出していることを特徴とする請求項９に記載の換気装置。
【請求項１１】
外気を家屋の屋根裏空間に導入して換気するための換気装置であって、
前記家屋の相互に隣接する一対の垂木間に取り付けられる換気装置本体と、前記換気装置本体の屋外側に設けられ、外気を前記換気装置本体の内部に吸気するための吸気用開口部と、前記換気装置本体の家屋側に設けられ、前記換気装置本体の内部と前記家屋の前記屋根裏空間とを連通するための通気用開口部と、を備え、前記吸気用開口部は横方向に開口されていることを特徴とする換気装置。
【請求項１２】
家屋の軒先部又は相互に隣接する一対の垂木間に設けられた換気装置と、前記家屋の屋根裏空間に連通される換気部と、を備え、前記換気装置により吸気された外気が前記屋根裏空間を通して前記換気部より排気される家屋の換気構造であって、
前記換気装置は、前記家屋の軒先部又は相互に隣接する一対の垂木間に取り付けられる換気装置本体と、前記換気装置本体の屋外側に設けられ、外気を前記換気装置本体の内部に吸気するための吸気用開口部と、前記換気装置本体の家屋側に設けられ、前記換気装置本体の内部と前記家屋の前記屋根裏空間とを連通するための通気用開口部と、前記通気用開口部を閉塞するための閉塞部材と、を備え、
前記吸気用開口部は横方向に開口され、前記閉塞部材は、前記通気用開口部を閉塞する閉塞位置と、前記通気用開口部を開放する開放位置との間を揺動自在に構成され、前記通気用開口部には屋外側に向かって斜め下方に延びる第１の水返し部が設けられており、
弱風時には、前記閉塞部材は前記開放位置に位置付けられ、前記吸気用開口部を通して前記換気装置本体の内部に吸気された外気は、前記通気用開口部を通して前記家屋の前記屋根裏空間に導入され、また強風時には、前記吸気用開口部を通して前記換気装置本体の内部に吸気された外気によって前記閉塞部材が前記開放位置から前記閉塞位置に位置付けられることを特徴とする家屋の換気構造。
【発明の詳細な説明】
【技術分野】
【０００１】
本発明は、外気を家屋の屋根裏空間に導入して換気するための換気装置及びこれを用いた家屋の換気構造に関する。
【背景技術】
【０００２】
従来より、外気を家屋の屋根裏空間に導入して換気するための換気装置が実用に供されている（例えば、特許文献１参照）。図７は従来の換気装置を示す概略断面図であり、図示の換気装置１００は、家屋１０２の軒天井部１０４に取り付けられるボックス状の換気装置本体１０６を備えている。換気装置本体１０６の屋外側の側面には、外気を換気装置本体１０６の内部に吸気するための吸気用開口部１０８が設けられ、またその家屋側の側面には、換気装置本体１０６の内部と家屋１０２の屋根裏空間１１０とを相互に連通するための通気用開口部１１２が設けられている。換気装置本体１０６の下端部には、換気装置本体１０６の内部に溜まった雨水を外部に排出するための排水用開口部１１４が設けられている。また、換気装置本体１１４の内部には、閉塞用開口部１１６を有する閉塞用壁部１１８と、この閉塞用壁部１１８に揺動自在に取り付けられた閉塞部材１２０と、を備えている。閉塞部材１２０は、閉塞用開口部１１６を閉塞する閉塞位置（図６において二点鎖線で示す）と、閉塞用開口部１１６を開放する開放位置（図６において実線で示す）との間を揺動自在に構成され、バネ部材１２２により開放位置に向けて弾性的に偏倚されている。
【０００３】
上述した換気装置１００を用いた家屋１０２の屋根裏空間１１０の換気は、次のようにして行われる。弱風時には閉塞部材１２０は開放位置に位置付けられ、かかる状態において風雨が吸気用開口部１０８を通して換気装置本体１０６の内部に流入されると、雨水は換気装置本体１０６の内部に溜まって排水用開口部１１４を通して外部に排出され、また風は閉塞用開口部１１６及び通気用開口部１１２を通して家屋１０２の屋根裏空間１１０に導入され、これにより家屋１０２の屋根裏空間１１０が換気される。また、強風時には、吸気用開口部１０８を通して換気装置本体１０６の内部に吸気された外気の風圧によって閉塞部材１２０が開放位置から閉塞位置に位置付けられ、これにより風雨の屋根裏空間１１０への侵入が遮断される。
【０００４】
【特許文献１】実開昭６３−５７４４５号公報
【発明の開示】
【発明が解決しようとする課題】
【０００５】
しかしながら、上述した従来の換気装置１００では、次のような問題がある。閉塞部材１２０によって閉塞用開口部１１６が完全に閉塞されていない際に、風雨が吸気用開口部１０８を通して換気装置本体１０６の内部に流入されると、換気装置本体１０６の内部に溜まった雨水が外気の風圧によって家屋側へと流れ、通気用開口部１１２より屋根裏空間１１０に侵入するおそれがある。このように雨水が屋根裏空間１１０に侵入すると、家屋１０２内においてカビや腐食、結露が発生するなどして、居住環境に悪影響を及ぼすという問題がある。また、吸気用開口部１０８は下方向に開口されているので、弱風時において横方向からの風が吸気用開口部１０８を通して換気装置本体１０６の内部に吸気され難くなり、屋根裏空間１１０の換気を効率良く行うことができないという問題がある。
【０００６】
本発明の目的は、雨水が家屋の屋根裏空間に侵入するのを確実に防止することができる換気装置及びこれを用いた家屋の換気構造を提供することである。
また、本発明の他の目的は、屋根裏空間の換気を効率良く行うことができる換気装置を提供することである。
【課題を解決するための手段】
【０００７】
本発明の請求項１に記載の換気装置では、外気を家屋の屋根裏空間に導入して換気するための換気装置であって、
前記家屋の軒先部又は相互に隣接する一対の垂木間に取り付けられる換気装置本体と、前記換気装置本体の屋外側に設けられ、外気を前記換気装置本体の内部に吸気するための吸気用開口部と、前記換気装置本体の家屋側に設けられ、前記換気装置本体の内部と前記家屋の前記屋根裏空間とを連通するための通気用開口部と、前記通気用開口部を閉塞するための閉塞部材と、を備え、
前記吸気用開口部は横方向に開口され、前記閉塞部材は、前記通気用開口部を閉塞する閉塞位置と、前記通気用開口部を開放する開放位置との間を揺動自在に構成され、前記通気用開口部には屋外側に向かって斜め下方に延びる第１の水返し部が設けられており、
弱風時には、前記閉塞部材は前記開放位置に位置付けられ、前記吸気用開口部を通して前記換気装置本体の内部に吸気された外気は、前記通気用開口部を通して前記家屋の前記屋根裏空間に導入され、また強風時には、前記吸気用開口部を通して前記換気装置本体の内部に吸気された外気によって前記閉塞部材が前記開放位置から前記閉塞位置に位置付けられることを特徴とする。
【０００８】
また、本発明の請求項２に記載の換気装置では、前記第１の水返し部は、鉛直方向に対して４５〜６０度の角度で屋外側に向かって斜め下方に延びていることを特徴とする。
【０００９】
さらに、本発明の請求項３に記載の換気装置では、前記閉塞部材の下端部にはシール部材が設けられており、前記閉塞部材が前記閉塞位置に位置付けられると、前記シール部材は前記第１の水返し部の下方において前記換気装置本体の家屋側にシールされることを特徴とする。
【００１０】
また、本発明の請求項４に記載の換気装置では、前記閉塞部材の下端部には、所定方向に折り返された折返し部が設けられ、前記折返し部には前記シール部材が取り付けられていることを特徴とする。
【００１１】
さらに、本発明の請求項５に記載の換気装置では、前記換気装置本体の屋外側の下端部には、前記換気装置本体の屋外側を流れ落ちる水が前記家屋の外壁面に到達するのを防止するための第１の水切り部が設けられていることを特徴とする。
【００１２】
また、本発明の請求項６に記載の換気装置では、前記第１の水切り部には排水用開口部が設けられており、前記換気装置本体の内部に溜まった雨水は、前記排水用開口部を通して外部に排出されることを特徴とする。
【００１３】
さらに、本発明の請求項７に記載の換気装置では、前記換気装置本体は、前記家屋の屋根の野地板に装着される装着部を更に備え、前記装着部の上側端部には、屋外側に向かって上側に折り返された第２の水返し部が設けられていることを特徴とする。
【００１４】
また、本発明の請求項８に記載の換気装置では、前記装着部の下側端部には、前記家屋の前記屋根を流れ落ちる水が前記換気装置本体の屋外側に到達するのを防止するための第２の水切り部が設けられていることを特徴とする。
【００１５】
さらに、本発明の請求項９に記載の換気装置では、前記吸気用開口部は複数設けられ、前記複数の吸気用開口部の各々には、打ち抜き加工により形成された雨水遮断部が設けられており、前記雨水遮断部は、前記換気装置本体の内部に向けて略コの字状に折り曲げられていることを特徴とする。
【００１６】
また、本発明の請求項１０に記載の換気装置では、前記雨水遮断部は、前記換気装置本体の内部に向けて１．０〜４．０ｍｍ突出していることを特徴とする。
さらに、本発明の請求項１１に記載の換気装置では、外気を家屋の屋根裏空間に導入して換気するための換気装置であって、
前記家屋の相互に隣接する一対の垂木間に取り付けられる換気装置本体と、前記換気装置本体の屋外側に設けられ、外気を前記換気装置本体の内部に吸気するための吸気用開口部と、前記換気装置本体の家屋側に設けられ、前記換気装置本体の内部と前記家屋の前記屋根裏空間とを連通するための通気用開口部と、を備え、前記吸気用開口部は横方向に開口されていることを特徴とする。
【００１７】
また、本発明の請求項１２に記載の家屋の換気構造では、家屋の軒先部又は相互に隣接する一対の垂木間に設けられた換気装置と、前記家屋の屋根裏空間に連通される換気部と、を備え、前記換気装置により吸気された外気が前記屋根裏空間を通して前記換気部より排気される家屋の換気構造であって、
前記換気装置は、前記家屋の軒先部又は相互に隣接する一対の垂木間に取り付けられる換気装置本体と、前記換気装置本体の屋外側に設けられ、外気を前記換気装置本体の内部に吸気するための吸気用開口部と、前記換気装置本体の家屋側に設けられ、前記換気装置本体の内部と前記家屋の前記屋根裏空間とを連通するための通気用開口部と、前記通気用開口部を閉塞するための閉塞部材と、を備え、
前記吸気用開口部は横方向に開口され、前記閉塞部材は、前記通気用開口部を閉塞する閉塞位置と、前記通気用開口部を開放する開放位置との間を揺動自在に構成され、前記通気用開口部には屋外側に向かって斜め下方に延びる第１の水返し部が設けられており、
弱風時には、前記閉塞部材は前記開放位置に位置付けられ、前記吸気用開口部を通して前記換気装置本体の内部に吸気された外気は、前記通気用開口部を通して前記家屋の前記屋根裏空間に導入され、また強風時には、前記吸気用開口部を通して前記換気装置本体の内部に吸気された外気によって前記閉塞部材が前記開放位置から前記閉塞位置に位置付けられることを特徴とする。
【発明の効果】
【００１８】
本発明の請求項１に記載の換気装置によれば、通気用開口部には屋外側に向かって斜め下方に延びる第１の水返し部が設けられているので、閉塞部材により通気用開口部が完全に閉塞されていない状態において、換気装置本体の内部に溜まった雨水が外気の風圧によって家屋側に流れた場合であっても、この雨水は第１の水返し部によって遮断され、雨水が通気用開口部を通して家屋の屋根裏空間に侵入するのを確実に防止することができる。従って、雨水が屋根裏空間に侵入することによるカビや腐食、結露の発生などを防止することができ、居住環境を良好に保つことができる。また、吸気用開口部は横方向に開口されているので、弱風時において横方向からの風が吸気用開口部を通して換気装置本体の内部に吸気され易くなり、家屋の屋根裏空間の換気を効率良く行うことができる。また、換気装置本体は、家屋の軒先部又は相互に隣接する一対の垂木間に取り付けられるので、外気が吸気用開口部より換気装置本体の内部により効率良く吸気され、これにより外気を屋根裏空間により効率良く導入することができる。従って、太陽熱が例えば屋根材や野地板などを介して家屋の屋根裏空間に伝達されることにより、この屋根裏空間の温度が高温（例えば、５０〜６０℃程度）になった場合において、屋根裏空間に導入された外気によって屋根裏空間の温度を効率良く低下することができ、屋根裏空間の温度上昇により家屋内の温度が高温となるのを防止することができる。
【００１９】
また、本発明の請求項２に記載の換気装置によれば、第１の水返し部は、鉛直方向に対して４５〜６０度の角度で屋外側に向かって斜め下方に延びているので、換気装置本体の内部に溜まった雨水が外気の風圧によって家屋側に流れた際に、この雨水が第１の水返し部によって屋外側に効果的に跳ね返され、雨水が通気用開口部を通して家屋の屋根裏空間に侵入するのをより確実に防止することができる。なお、第１の水返し部の鉛直方向に対する角度は、５０〜５５度がより好ましい。
【００２０】
さらに、本発明の請求項３に記載の換気装置によれば、閉塞部材が閉塞位置に位置付けられると、閉塞部材の下端部に設けられたシール部材は第１の水返し部の下方において換気装置本体の家屋側にシールされるので、換気装置本体の内部に溜まった雨水が外気の風圧によって家屋側に流れた際に、この雨水をシール部材によって確実に遮断することができる。
【００２１】
また、本発明の請求項４に記載の換気装置によれば、閉塞部材の下端部には、所定方向に折り返された折返し部が設けられ、この折返し部にはシール部材が取り付けられているので、閉塞部材の下端部の強度を高めることができ、それ故に、閉塞部材が閉塞位置に位置付けられた際において、シール部材と換気装置本体の家屋側とのシール性を高めることができる。
【００２２】
さらに、本発明の請求項５に記載の換気装置によれば、換気装置本体の屋外側の下端部には第１の水切り部が設けられているので、換気装置本体の屋外側を流れ落ちる水が家屋の外壁面に到達するのを防止することができ、これによって、この雨水が換気装置本体と家屋の外壁面との間の隙間などに侵入するのを防止することができる。
【００２３】
また、本発明の請求項６に記載の換気装置によれば、第１の水切り部には排水用開口部が設けられているので、風雨が吸気用開口部を通して換気装置本体の内部に流入した際に、換気装置本体の内部に溜まった雨水を排水用開口部を通して外部に排出することができる。
【００２４】
さらに、本発明の請求項７に記載の換気装置によれば、家屋の屋根の野地板に装着される装着部の上側端部には、屋外側に向かって上側に折り返された第２の水返し部が設けられているので、雨水が屋根材と装着部との間に流入した際に、この雨水を第２の水返し部によって遮断することができる。従って、雨水が屋根材と野地板との間に侵入するのを防止することができ、家屋における雨漏りの発生を防止することができる。
【００２５】
また、本発明の請求項８に記載の換気装置によれば、装着部の下側端部には第２の水切り部が設けられているので、家屋の屋根を流れ落ちる水が換気装置本体の屋外側に到達するのを防止することができ、これによって、この雨水が吸気用開口部を通して換気装置本体の内部に流入するのを防止することができる。
【００２６】
さらに、本発明の請求項９に記載の換気装置によれば、複数の吸気用開口部の各々には、打ち抜き加工により形成された雨水遮断部が設けられており、雨水遮断部は、換気装置本体の内部に向けて略コの字状に折り曲げられているので、例えば風速５０ｍ／ｓ程度の強風時には、雨水が雨水遮断部により跳ね返されて遮断されるようになり、雨水の換気装置本体の内部への流入を抑えることができる。また、外気が複数の吸気用開口部より換気装置本体の内部に吸気されると、この外気が雨水遮断部にぶつかることによって換気装置本体の内部のほぼ全域において拡散され、それ故に、閉塞部材がその長さ方向においてほぼ等しい風圧でもって押圧され、閉塞部材を閉塞位置に確実に位置付けることができる。
【００２７】
また、本発明の請求項１０に記載の換気装置によれば、雨水遮断部は、換気装置本体の内部に向けて１．０〜４．０ｍｍ突出しているので、吸気用開口部の幅は１．０〜４．０ｍｍ程度となり、これにより例えば蜂などの害虫が吸気用開口部を通して家屋の屋根裏空間に侵入するのを防止することができる。なお、雨水遮断部の換気装置本体の内部への突出量は、２．０〜３．０ｍｍがより好ましい。
【００２８】
さらに、本発明の請求項１１に記載の換気装置によれば、吸気用開口部は横方向に開口されているので、弱風時において横方向からの風が吸気用開口部を通して換気装置本体の内部に吸気され易くなり、家屋の屋根裏空間の換気を効率良く行うことができる。また、換気装置本体は、相互に隣接する一対の垂木間に取り付けられるので、外気が吸気用開口部より換気装置本体の内部により効率良く吸気され、これにより外気を屋根裏空間により効率良く導入することができる。従って、太陽熱が例えば屋根材や野地板などを介して家屋の屋根裏空間に伝達されることにより、この屋根裏空間の温度が高温（例えば、５０〜６０℃程度）になった場合において、屋根裏空間に導入された外気によって屋根裏空間の温度を効率良く低下することができ、屋根裏空間の温度上昇により家屋内の温度が高温となるのを防止することができる。
【００２９】
また、本発明の請求項１２に記載の家屋の換気構造によれば、通気用開口部には屋外側に向かって斜め下方に延びる第１の水返し部が設けられているので、閉塞部材により通気用開口部が完全に閉塞されていない状態において、換気装置本体の内部に溜まった雨水が外気の風圧によって家屋側に流れた場合であっても、この雨水は第１の水返し部によって遮断され、雨水が通気用開口部を通して家屋の屋根裏空間に侵入するのを確実に防止することができる。従って、雨水が屋根裏空間に侵入することによるカビや腐食、結露の発生などを防止することができ、居住環境を良好に保つことができる。また、吸気用開口部は横方向に開口されているので、弱風時において横方向からの風が吸気用開口部を通して換気装置本体の内部に吸気され易くなり、家屋の屋根裏空間の換気を効率良く行うことができる。また、換気装置本体は、家屋の軒先部又は相互に隣接する一対の垂木間に取り付けられるので、外気が吸気用開口部より換気装置本体の内部により効率良く吸気され、これにより外気を屋根裏空間により効率良く導入することができる。従って、太陽熱が例えば屋根材や野地板などを介して家屋の屋根裏空間に伝達されることにより、この屋根裏空間の温度が高温（例えば、５０〜６０℃程度）になった場合において、屋根裏空間に導入された外気によって屋根裏空間の温度を効果的に低下することができ、屋根裏空間の温度上昇により家屋内の温度が高温となるのを防止することができる。
【発明を実施するための最良の形態】
【００３０】
以下、添付図面を参照して、本発明に従う換気装置及びこれを用いた家屋の換気構造の各種実施形態について説明する。
［第１の実施形態］
まず、図１〜図４を参照して、第１の実施形態の換気装置及びこれを用いた家屋の換気構造について説明する。図１は、本発明の第１の実施形態による換気装置を示す斜視図であり、図２は、図１の換気装置を用いた家屋の換気構造を示す概略断面図であり、図３は、図２の換気装置の閉塞部材が開放位置に位置付けられた状態を示す概略断面図であり、図４は、図２の換気装置の閉塞部材が閉塞位置に位置付けられた状態を示す概略断面図である。
【００３１】
図２を参照して、図示の家屋２の換気構造は、家屋２の軒先部４に取り付けられた換気装置６と、家屋２の屋根８の頂部に設けられた換気口１０を有する換気棟１２（換気部を構成する）と、換気装置６の内部と換気棟１２の換気口１０とを相互に連通する屋根裏空間１４と、を備えている。屋根裏空間１４は、垂木１６の上側部に設けられた野地板１８の下方に形成されている。また、野地板１８には、下葺き材（ルーフィング）（図示せず）を介して例えば瓦などの屋根材６４が葺かれている。
【００３２】
次に、図１、図３及び図４をも参照して、図示の換気装置６は、家屋２の軒先部４に取り付けられる換気装置本体２２を備えている。この換気装置本体２２は例えばガルバリウム鋼板やアルミニウム材などの金属材料などから形成され、家屋２の軒先部４の長さに対応して横長に構成されている。換気装置本体２２の両端部にはそれぞれ閉塞カバー部材（図示せず）が設けられており、この閉塞カバー部材により換気装置本体２２の両端部が閉塞される。換気装置本体２２の屋外側の側面２４には、外気を換気装置本体２２の内部に吸気するための複数の吸気用開口部２６が設けられており、これら複数の吸気用開口部２６は、横方向（図２〜図４において左方向）に開口されているとともに横方向（図１において左右方向）に所定の間隔を置いて配設されている。複数の吸気用開口部２６の各々には、プレスの打ち抜き加工により形成された雨水遮断部２８が設けられ、この雨水遮断部２８は、換気装置本体２２の内部に向けて略コの字状に折り曲げられ、換気装置本体２２の内部に向けて約２．６ｍｍ突出している。
【００３３】
換気装置本体２２の家屋側の側面３０には通気用開口部３２が設けられており、換気装置本体２２の内部と家屋２の屋根裏空間１４とがこの通気用開口部３２を介して相互に連通されている。この通気用開口部３２の下端部（即ち、換気装置本体２２の家屋側の側面３０の上端部）には第１の水返し部３４が設けられており、この第１の水返し部３４は、鉛直方向に対して所定角度θ（例えば、約５３度）で屋外側に向かって斜め下方に延びている。
【００３４】
換気装置本体２２の屋外側の下端部には、下方に延びる第１の水切り部３６が設けられており、この第１の水切り部３６の家屋側の側面には、例えば円形状の複数の排水用開口部３８が横方向（図１において左右方向）に所定の間隔を置いて設けられている。この排水用開口部３８の外径は、例えば約５ｍｍ程度に設定される。また、換気装置本体２２の家屋側の側面３０と家屋の外壁面４０（例えば、破風板など）との間の隙間には防水テープ４２が介在されており、この防水テープ４２により雨水が上記隙間に侵入するのが防止される。
【００３５】
また、換気装置本体２２の上端部には、家屋２の屋根８の野地板１８に装着される装着部４４が設けられており、この装着部４４は、屋外側から家屋側に向かって斜め上方に延びている。この装着部４４の上側端部には、屋外側に向かって上側に折り返された第２の水返し部４６が設けられ、またその下側端部には、屋外側に向かって斜め下方に延びる第２の水切り部４８が設けられている。この装着部４４は、例えば野地板１８に取り付けられた吊子５０の先端部を第２の水返し部４６に係止させることにより野地板１８の下側端部に装着される。また、下葺き材は、装着部４４の上面を覆うようにして配設されている。
【００３６】
換気装置本体２２の内部には、通気用開口部３２を閉塞するための閉塞部材５２が設けられている。この閉塞部材５２は横長のプレート状に構成され、その下端部には所定方向（例えば、家屋側）に折り返された折返し部５４が設けられており、この折返し部５４には例えばテープ状のシール部材５６が取り付けられている。装着部４４の第２の水切り部４８の内側には支持部材５８の一端部が挿入され圧着されており、これにより支持部材５８の一端部が第２の水切り部４８の内側に確実に支持される。また、この支持部材５８の他端部には、軟質材料、例えば、エストラマなどのゴム材料や硬質樹脂及び軟質樹脂などの樹脂材料などから形成された接続部材６０を介して閉塞部材５２の上端部が揺動自在に接続されている。支持部材５８の他端部は所定方向に折り返されて接続部材６０の一端部に圧着され、また閉塞部材５２の上端部は所定方向に折り返されて接続部材６０の他端部に圧着されており、これにより支持部材５８と閉塞部材５２との間の隙間が接続部材６０によりシールされ、雨水がこの隙間から屋根裏空間１４に侵入するのが防止される。また、支持部材５８の他端部は野地板１８の下端面と略平行に延びており、野地板１８の先端部が装着部４４と支持部材５８の他端部との間に挟持されるようになり、これにより換気装置６が軒先部４に確実に固定され、例えば風速約５０ｍ／ｓ以上の突風による換気装置６のバタツキが防止される。
【００３７】
また、閉塞部材５２は、通気用開口部３２を開放する開放位置（図３参照）と、通気用開口部３２を閉塞する閉塞位置（図４参照）との間を揺動自在に構成される。閉塞部材５２が開放位置に位置付けられると、閉塞部材５２は実質上鉛直方向に延びるようになる。また閉塞部材５２が閉塞位置に位置付けられると、閉塞部材５２は鉛直方向に対して家屋側に所定角度傾斜して延び、かかる状態においてシール部材５６は、第１の水返し部３４の下方において換気装置本体２２の家屋側の側面３０にシールされる。
【００３８】
なお、エストラマは耐光性及び耐熱性を有しており、接続部材６０をこのようなエストラマから形成した場合には、複数の吸気用開口部２６を通して換気装置本体２２の内部に導入される太陽光や太陽熱により接続部材６０が腐食されるのが防止される。
【００３９】
次に、上述した換気装置６を用いた家屋２の屋根裏空間１４の換気方法について説明すると、次の通りである。外気の風速が比較的小さい弱風時には、外気が複数の吸気用開口部２６を通して換気装置本体２２の内部に吸気されると、この外気の風圧によって閉塞部材５２は開放位置（又は開放位置と閉塞位置との間）に位置付けられ（図３参照）、これにより吸気された外気は、通気用開口部３２を通して家屋２の屋根裏空間１４に導入される。このように導入された外気は、屋根裏空間１４を通して換気棟１２の換気口１０より排気され（図２参照）、このようにして屋根裏空間１４が換気される。なお、複数の吸気用開口部２６は横方向に開口されているので、弱風時において横方向からの風が複数の吸気用開口部２６を通して換気装置本体２２の内部に効率良く吸気される。
【００４０】
また、太陽熱が屋根材６４や野地板１８などを介して屋根裏空間１４に伝達されると、屋根裏空間１４内の温度が上昇されて外気温よりも高くなる。このように屋根裏空間１４の温度が高温（例えば、５０〜６０℃程度）になると、屋外と屋根裏空間１４との温度差によって外気が複数の吸気用開口部２６を通して屋根裏空間１４に導入され易くなり、この導入された外気は屋根裏空間１４を上方に効率良く流れるようになる。これにより、屋根裏空間１４に導入された外気によって屋根裏空間１４の温度を効率良く低下することができ、屋根裏空間１４の温度上昇により家屋２内（例えば、居室など）の温度が高温となるのを防止することができる。
【００４１】
この弱風時において、風雨が複数の吸気用開口部２６を通して換気装置本体２２の内部に流入された場合には、風雨が閉塞部材５２にぶつかることによって風と雨水とに分離される。雨水は換気装置本体２２の内部に溜まって排水用開口部３８を通して外部に排出され、この排出された雨水は、家屋２の外壁面４０に取り付けられた雨樋６２に流れ落ちる。また風は、通気用開口部３２を通して家屋２の屋根裏空間１４に導入され、屋根裏空間１４を通して換気棟１２の換気口１０より排出される。かかる状態において、外気の風圧によって換気装置本体２２の内部に溜められた雨水が家屋側に流れると、この雨水は第１の水返し部３４により屋外側に跳ね返され、雨水が通気用開口部３２を通して屋根裏空間１４に侵入されるのが防止される。
【００４２】
また降雨時において、野地板１８に葺かれた屋根材６４を流れ落ちる雨水は、装着部４４の第２の水切り部４８の先端部より下方に流れ落ちるようになり、これによって、この雨水が複数の吸気用開口部２６より換気装置本体２２の内部に侵入するのが防止される。
【００４３】
また、換気装置本体２２の屋外側の側面２４を流れ落ちる雨水は、第１の水切り部３６の先端部より下方に流れ落ちるようになり、これによって、この雨水が換気装置本体２２の底面を流れて家屋２の外壁面４０に到達するのが防止され、換気装置本体２２の家屋側の側面３０と家屋２の外壁面４０との間の隙間に雨水が侵入するのを確実に防止することができる。
【００４４】
雨水が屋根材６４と装着部４４との間の隙間に流入し、外気の風圧によってこの雨水が装着部４４の上面を家屋側に向かって流れると、この雨水は第２の水返し部４６により屋外側に跳ね返される。従って、雨水が屋根材６４と野地板１８との間の隙間に侵入するのを防止することができ、家屋２の雨漏りを防止することができる。
【００４５】
外気の風速が比較的大きい強風時には、複数の吸気用開口部２６を通して吸気された外気の風圧によって、閉塞部材５２は矢印Ｐで示す方向に揺動されて開放位置から閉塞位置に位置付けられる（図４参照）。これにより風雨が複数の吸気用開口部２６を通して換気装置本体２２の内部に流入されると、この風雨が閉塞部材５２によって遮断され、雨水が通気用開口部３２を通して屋根裏空間１４に侵入されるのが防止される。また、シール部材５６が第１の水返し部３４の下方において換気装置本体２２の家屋側の側面３０にシールされるので、換気装置本体２２の内部に溜まった雨水が外気の風圧によって家屋側に流れた場合であっても、この流れた雨水はシール部材５６により確実に遮断される。
【００４６】
なお、閉塞部材５２の下端部には折返し部５４が設けられているので、閉塞部材５２の下端部の強度が高められて閉塞部材５２の下端部が湾曲されるのが防止され、それ故に、シール部材５６と換気装置本体２２の家屋側の側面３０とのシール性が高められる。
【００４７】
また、雨水遮断部２８は、換気装置本体２２の内部に向けて略コの字状に折り曲げられているので、外気が複数の吸気用開口部２６より換気装置本体２２の内部に吸気されると、この外気が雨水遮断部２８にぶつかることによって換気装置本体２２の内部のほぼ全域において拡散され、それ故に、閉塞部材５２がその長さ方向においてほぼ等しい風圧でもって押圧され、閉塞部材５２を閉塞位置に確実に位置付けることができる。また、例えば風速５０ｍ／ｓ程度の強風時には、雨水が雨水遮断部２８により跳ね返されて遮断されるようになり、雨水の換気装置本体２２の内部への流入を抑えることができる。また、雨水遮断部２８は、換気装置本体２２の内部に向けて約２．６ｍｍ突出しているので、吸気用開口部２６の幅Ｄ（図３参照）は約２．６ｍｍ程度となり、例えば蜂などの害虫が吸気用開口部２６を通して屋根裏空間１４に侵入するのが防止され、屋根裏空間１４に蜂の巣などが形成されるのが防止される。
【００４８】
従って、本実施形態の換気装置６を用いた家屋２の換気構造では、雨水が通気用開口部３２を通して家屋２の屋根裏空間１４に侵入するのを確実に防止することができ、雨水が屋根裏空間１４に侵入することによるカビや腐食、結露の発生などを防止することができ、居住環境を良好に保つことができる。また、外気を屋根裏空間１４により効率良く導入することができ、これにより屋根裏空間１４に導入された外気によって屋根裏空間１４の温度を効率良く低下することができ、屋根裏空間１４の温度上昇により家屋２内の温度が高温となるのを防止することができる。
【００４９】
なお、従来の家屋２の換気構造、例えば棟換気や軒天井の有効板、ヤギリ、通気見切り、外壁の通気層など（図示せず）から外気を屋根裏空間１４へ導入する換気構造に加えて、本実施形態の換気装置６を用いた家屋２の換気構造を採用することにより、より効果的に屋根裏空間１４の換気を行うことができる。
【００５０】
［第２の実施形態］
次に、図５を参照して、換気装置及びこれを用いた家屋の換気構造の第２の実施形態について説明する。図５は、本発明の第２の実施形態による換気装置を示す概略断面図である。なお、以下の実施形態において、第１の実施形態の構成要素と同一の構成要素には同一の符号を付してその説明を省略する。
【００５１】
この第２の実施形態の換気装置６Ａでは、装着部４４に補強プレート部材６６が着脱自在に取り付けられている。この補強プレート部材６６の幅方向（図５において左右方向）中間部には、上方に幾分折り曲げられて形成された段差部６７が設けられており、最も下側に葺かれた例えばスレートなどの屋根材６４Ａの下側端部はこの段差部６７より屋外側に所定長さ（約１０ｍｍ）だけ突出されている。この補強プレート部材６６の下側端部には、下側に折り返された差込み部６８が設けられており、この差込み部６８には第２の水切り部４８の先端部が着脱自在に差し込まれる。また、補強プレート部材６６の上側端部には、屋外側に向かって上側に折り返された第３の水返し部７０が設けられており、この補強プレート部材６６は、例えば野地板１８に取り付けられた吊子７２の先端部を第３の水返し部７０に係止させることにより装着部４４の上側部に装着される。
【００５２】
この補強プレート部材６６が装着部４４に取り付けられると、装着部４４が補強プレート部材６６により覆われるようになり、これによって装着部４４の強度を高めることができ、降雪時に雪が屋根材６４に降り積もった際に、雪の重さにより装着部４４や野地板１８等が損傷するのを防止することができる。また、補強プレート部材６６と屋根材６４との間の隙間に雨水や雪解け水などが侵入した際には、この雨水や雪解け水などは第３の水返し部７０により屋外側に跳ね返され、雨水や雪解け水などが屋根材６４と野地板１８との間の隙間に侵入するのを防止することができ、家屋２の雨漏りを防止することができる。また、補強プレート部材６６の段差部６７よりも下側に積もった雪は、補強プレート部材６６上を滑って差込み部６８より落下するようになり、これにより雪の重さで装着部４４の下側端部が破損するのが防止される。この他の実施形態の換気装置においても、上述したのと同様の作用効果が達成される。
【００５３】
［第３の実施形態］
次に、図６を参照して、換気装置及びこれを用いた家屋の換気構造の第３の実施形態について説明する。図６は、本発明の第３の実施形態による換気装置を示す概略断面図である。
【００５４】
この第３の実施形態の換気装置６Ｂは、家屋２Ｂの軒天井部７６と外壁４０Ｂとの接続部における相互に隣接する一対の垂木１６Ｂ間、即ち、所謂面止板が取り付けられる部位に設けられている。換気装置本体２２Ｂの上端部には、家屋２Ｂの軒天井部７６に取り付けられる取付部７８が設けられており、この取付部７８は、屋外側から家屋側に向かって斜め上方に延びている。なお、この換気装置６Ｂでは、上述した第１及び第２の実施形態のように閉塞部材５２は設けられていない。
【００５５】
従って、この第３の実施形態の換気装置６Ｂでは、換気装置本体２２Ｂは、相互に隣接する一対の垂木１６Ｂ間に取り付けられるので、外気が吸気用開口部２６より換気装置本体２２Ｂの内部により効率良く吸気され、これにより外気を屋根裏空間１４Ｂにより効率良く導入することができる。
【００５６】
なお、この換気装置６Ｂにおいても、上述した第１及び第２の実施形態と同様に、閉塞部材５２を設けるように構成してもよい。
以上、本発明に従う換気装置及びこれを用いた家屋の換気構造の各種実施形態について説明したが、本発明はかかる実施形態に限定されるものではなく、本発明の範囲を逸脱することなく種々の変形乃至修正が可能である。
【００５７】
例えば、上記第１及び第２の実施形態では、換気装置本体２２と閉塞部材５２とを別体に構成したが、これらを一体に構成してもよい。
また例えば、上記各実施形態では、第１の水返し部３４の鉛直方向に対する角度θを約５３度に設定したが、この角度θは５０度〜５５度に設定するのが好ましい。かく設定することにより、雨水が第１の水返し部３４によって屋外側に効果的に跳ね返され、雨水が通気用開口部３２を通して家屋２の屋根裏空間１４に侵入するのをより確実に防止することができる。
【００５８】
また例えば、上記各実施形態では、雨水遮断部２８の換気装置本体２２（２２Ｂ）の内部への突出量を約２．６ｍｍに設定したが、この突出量は１．０〜４．０ｍｍに設定するのが好ましい。かく設定することにより、吸気用開口部２６の幅Ｄは１．０〜４．０ｍｍ程度となり、これにより例えば蜂などの害虫が吸気用開口部２６を通して家屋２（２Ｂ）の屋根裏空間１４（１４Ｂ）に侵入するのを確実に防止することができる。
【００５９】
また例えば、上記第１及び第２の実施形態では、屋根材６４（６４Ａ）を瓦（スレート）から構成したが、これに限られず、例えばセメント瓦や板金屋根材などの種々の屋根材から構成することができる。なお、屋根材６４を板金屋根材から構成した場合には、板金屋根の下側端部を第２水切り部４８に装着し、その上側端部を例えば野地板１８に取り付けられた吊子（図示せず）の先端部に係止させることにより、屋根材６４が野地板１８に固定することができる。
【００６０】
また例えば、上記第１及び第２の実施形態では、垂木１６の上側部に野地板１８が設けられた一重野地のタイプの屋根８に適用したが、これに限られず、例えば垂木１６の上側部及び下側部にそれぞれ野地板１８が設けられた二重野地のタイプの屋根に対しても適用することができる。
【００６１】
また例えば、上記第１及び第２の実施形態では、吊子５０を用いて装着部４４を野地板１８の下側端部に装着するように構成したが、これに限られず、例えば釘やビスなどを用いて装着部４４を野地板１８の下側端部に装着するように構成してもよい。
【００６２】
また例えば、上記第１及び第２の実施形態では、換気装置６（６Ａ）は屋根８（８Ａ）の軒先部４に取り付けられるように構成し、また上記第３の実施形態では、換気装置６Ｂは相互に隣接する一対の垂木１６Ｂ間に取り付けられるように構成したが、これに限られず、換気装置を例えば庇の軒先部や幕板部などに取り付るように構成してもよい。
【００６３】
また例えば、上記第１及び第２の実施形態では、接続部材６０をゴム材料や樹脂材料などの軟質材料から形成したが、これに限られず、例えばテープ部材や鋼板などの種々の形態のものから構成することができる。
【図面の簡単な説明】
【００６４】
【図１】本発明の第１の実施形態による換気装置を示す斜視図である。
【図２】図１の換気装置を用いた家屋の換気構造を示す概略断面図である。
【図３】図２の換気装置の閉塞部材が開放位置に位置付けられた状態を示す概略断面図である。
【図４】図２の換気装置の閉塞部材が閉塞位置に位置付けられた状態を示す概略断面図である。
【図５】本発明の第２の実施形態による換気装置を示す概略断面図である。
【図６】本発明の第３の実施形態による換気装置を示す概略断面図である。
【図７】従来の換気装置を示す概略断面図である。
【符号の説明】
【００６５】
２，２Ｂ  家屋
４  軒先部
６，６Ａ，６Ｂ  換気装置
１０  換気口
１４  屋根裏空間
１８  野地板
２２，２２Ｂ  換気装置本体
２６  吸気用開口部
２８  雨水遮断部
３２  通気用開口部
３４  第１の水返し部
３６  第１の水切り部
３８  排水用開口部
４４  装着部
４６  第２の水返し部
４８  第２の水切り部
５２  閉塞部材
５４  折返し部
５６  シール部材
【図１】
2008304140.tif 000003
【図２】
2008304140.tif 000004
【図３】
2008304140.tif 000005
【図４】
2008304140.tif 000006
【図５】
2008304140.tif 000007
【図６】
2008304140.tif 000008
【図７】
2008304140.tif 000009